(57)【特許請求の範囲】
【請求項１】
肌対向面及び非肌対向面を有する環状の胴回り部材と前記胴回り部材に取り付けられた股下部材とを含み、
前記股下部材は、前記肌対向面に位置する内面シートと、前記非肌対向面に位置する外面シートと、前記内外面シートの両側縁及び両端縁に沿って延びる一対のサイドフラップ及び一対のエンドフラップと、前記両端縁の一端縁の側から別のもう一端縁の側に亘って前記両側縁に沿ってほぼ縦方向に延びる一対の弾性部材を含み、該サイドフラップの縦方向両端部と該エンドフラップの横方向両側部との交差域が前記肌対向面の側へ折り返され、
前記交差域には前記弾性部材の非存在域が形成され、該非存在域が前記胴周り部材に取り付けられ、
前記弾性部材の前記縦方向の前記両端部には、非伸長状態で前記内外面シートに取り付ける非伸長部が設けられている使い捨てのパンツ型の着用物品。
【請求項２】
前記股下部材には、前記サイドフラップの横方向における中央領域と、前記サイドフラップとを画成する折曲線とが、前記両側縁において前記縦方向に延びるように設けられ、該折曲線を介して前記サイドフラップが前記肌対向面の側へ折り返され、
前記弾性部材は、前記中央領域の前記両端縁から前記折曲線を横切る部位を有し、前記一端縁の側から別のもう一端縁の側に亘って一連に延びている請求項１に記載の着用物品。
【請求項３】
前記弾性部材は、前記サイドフラップにおいて、前記股下部材を前記縦方向に二等分する縦方向仮想中心線上において互いに最も接近し、かつ前記縦方向に沿って前記縦方向仮想中心線から離間するに従って互いに離間するように設けられている請求項２に記載の着用物品。
【請求項４】
前記横方向において、前記折曲線に対して前記弾性部材よりも離間する第２弾性部材が前記サイドフラップに設けられている請求項２又は３に記載の着用物品。
【請求項５】
前記サイドフラップの間から露出する前記中央領域の前記肌対向面が前記胴回り部材に取り付けられている請求項２〜４のいずれかに記載の着用物品。
【請求項６】
前記胴回り部材の前記非肌対向面側に前記股下部材が取り付けられている請求項１〜５のいずれかに記載の着用物品。
【発明の詳細な説明】
【技術分野】
【０００１】
この発明は、使い捨てのパンツ型の着用物品に関し、より詳しくは、おむつ、排泄トレーニングパンツ、失禁ブリーフ等の使い捨てパンツ型の着用物品に関する。
【背景技術】
【０００２】
従来、着用者の前後胴回り部を被覆する胴回り部材と、この胴回り部材に取り付け、吸収性の芯材を有し、着用者の股下部を被覆する股下部材とを有する使い捨てのパンツ型の着用物品は公知である。
【０００３】
例えば、特許文献１には、胴回り部材を前パネルと後パネルとで形成した使い捨てのパンツ型のおむつが開示されている。このおむつは、肌対向面側に配置した内面シートと非肌対向面側に配置した外面シートとで前後パネルを形成し、これら内面シートと外面シートとの間に、縦方向に延びる股下部材の一端縁及び別のもう一端縁をそれぞれ挿入してある。
股下部材には、吸収性の芯材を設ける中央領域と、中央領域の両側縁において縦方向に延びる折曲線に沿って肌対向面側に折り返して形成されたサイドフラップとを備え、複数枚のシートを積層して形成したシート積層体が設けてある。
【先行技術文献】
【特許文献】
【０００４】
【特許文献１】特許第４２４０４６３号公報
【発明の概要】
【発明が解決しようとする課題】
【０００５】
特許文献１に開示されている股下部材は、縦方向に延びる脚回り弾性部材を中央領域の両側縁に設けてある。この脚回り弾性部材は、中央領域の両側縁に収縮力が作用するように伸長した状態で股下部材に設けてある。
しかしながら、特許文献１に開示されたおむつにおいて、脚回り弾性部材の縦方向の両端縁は、股下部材と胴回り部材とが重なる部位まで延びていないため、当該部位で股下部材の両側縁を着用者に十分に押し当てることができず、これによって、股下部材の両側縁から排泄物が漏れる虞がある。換言すれば、特許文献１に開示されている発明には、股下部材と胴回り部材とが重なる部位において、股下部材の両側縁から排泄物が漏れることの考慮がない。
そこで、仮に、脚回り弾性部材の両端縁を、股下部材と胴回り部材とが重なる部位にまで伸ばした場合、股下部材が縦方向に収縮するように、伸長した状態の股下部材を胴回り部材に取り付けることになるため、その収縮力によって股下部材にギャザーが形成され、そのギャザーによって胴回り部材に股下部材を確実に取り付けることができない。加えて、弾性部材の存在によって、股下部材を平坦にすることができないため、一層、胴回り部材に股下部材を確実に取り付けることが困難である。
特に、吸収保持することができる排泄物の量を多くするため、環状の胴周り部材の外側に股下部材を取り付けてある使い捨てのおむつでは、着用状態において、胴回り部材から股下部材が外れる方向に力が加えられるため、胴回り部材に股下部材を確実に取り付ける必要がある。
【０００６】
そこで、この発明では、股下部材の両側縁からから排泄物が漏れることを防止しながら、股下部材に胴回り部材を確実に取り付けることができる使い捨てのパンツ型の着用物品の提供を課題にしている。
【課題を解決するための手段】
【０００７】
前記課題を解決するために、この発明は、肌対向面及び非肌対向面を有する環状の胴回り部材と前記胴回り部材に取り付けられた股下部材とを含み、前記股下部材は、前記肌対向面に位置する内面シートと、前記非肌対向面に位置する外面シートと、前記内外面シートの両側縁及び両端縁に沿って延びる一対のサイドフラップ及び一対のエンドフラップと、前記両端縁の一端縁の側から別のもう一端縁の側に亘って前記両側縁に沿ってほぼ縦方向に延びる一対の弾性部材を含み、該サイドフラップの縦方向両端部と該エンドフラップの横方向両側部との交差域が前記肌対向面の側へ折り返され、前記交差域には前記弾性部材の非存在域が形成され、該非存在域が前記胴周り部材に取り付けられ、前記弾性部材の前記縦方向の前記両端部には、非伸長状態で前記内外面シートに取り付ける非伸長部が設けられている使い捨てのパンツ型の着用物品にある。
【０００８】
この発明の好ましい実施態様の一つにおいて、前記股下部材には、前記サイドフラップの横方向における中央領域と、前記サイドフラップとを画成する折曲線とが、前記両側縁において前記縦方向に延びるように設けられ、該折曲線を介して前記サイドフラップが前記肌対向面の側へ折り返され、前記弾性部材は、前記中央領域の前記両端縁の前記折曲線を横切る部位を有し、前記一端縁の側から別のもう一端縁の側に亘って一連に延びている。
【０００９】
この発明の好ましい実施態様の他の一つにおいて、前記弾性部材は、前記サイドフラップにおいて、前記股下部材を前記縦方向に二等分する縦方向仮想線上において互いに最も接近し、かつ前記縦方向に沿って前記縦方向仮想線から離間するに従って互いに離間するように設けられている。
【００１１】
この発明の好ましい実施態様の他の一つにおいて、前記横方向において、前記折曲線に対して前記弾性部材よりも離間する第２弾性部材が設けられている。
【００１２】
この発明の好ましい実施態様の他の一つにおいて、前記サイドフラップの間から露出する前記中央領域の前記肌対向面が前記胴回り部材に取り付けられている。
【００１３】
この発明の好ましい実施態様の他の一つにおいて、前記胴回り部材の前記非肌対向面側に前記股下部材が取り付けられている。
【発明の効果】
【００１４】
この発明に係る着用物品によれば、サイドフラップの縦方向両端部に弾性部材が存在しない非存在域が形成されているため、非存在域にはギャザーが形成されず、かつ非存在域は平坦である。よって、股下部材を胴回り部材に確実に取り付けることができる。しかも、股下部材は、内外面シートの両端縁の一端縁の側から別のもう一端縁の側に亘って両側縁に沿ってほぼ縦方向に延びる弾性部材を備えるため、股下部材と胴回り部材とが重なる部位においても、股下部材の両側縁を収縮させることができる。よって、当該部位における股下部材の両側縁から排泄物が漏れることも防止することができる。
【図面の簡単な説明】
【００１５】
【図１】本発明における使い捨てのパンツ型の着用物品の一例としてのおむつの斜視図。
【図２】おむつを展開した状態において、肌対向面から見た一部破断展開平面図。
【図３】シート積層体の平面図。
【図４】前パネルに対する股下部材の取り付けを示す斜視図。
【発明を実施するための形態】
【００１６】
添付の図面を参照して、この発明に係る使い捨てのパンツ型の着用物品の一例であるおむつの実施形態を説明すると、以下のとおりである。
【００１７】
図１は、ウエスト開口１０ａと、一対のレッグ開口１０ｂとを有するおむつ１をその前方から見たときの部分破断斜視図である。
図１中、Ｘは幅方向を示し、Ｙは幅方向Ｘと直交する上下方向を示し、Ｚは幅方向Ｘ及び上下方向Ｙにそれぞれ直交する前後方向を示している。
おむつ１は、着用者の胴回り方向に延びる環状の胴回り部材１０と、この胴回り方向に交差する方向に延びる股下部材３０とを備えている。胴回り部材１０は、前後方向Ｚの前方に位置する前パネル１１と、後方に位置する後パネル１２とを有し、それら前後パネル１１，１２の側縁部１１ａ，１２ａが幅方向Ｘの両側それぞれにおいて合掌状に重なり合い、接合部１３において互いに接合してある。
【００１８】
図２は、接合部１３における接合を解き、且つおむつ１を幅方向Ｘ及び前後方向Ｚに伸展して得られる伸展おむつ１ａの部分破断平面図であって、伸展おむつ１ａにおける着用者の肌に対向する面（以下、単に、肌対向面といい、この肌対向面と反対の面を非肌対向面という）を示してある。
図２において、Ｌは股下部材３０の長さ方向である縦方向を示し、Ｗは縦方向Ｌに直交する横方向を示している。
また、図２において、Ｐは、伸展おむつ１ａを横方向Ｗに二等分する横方向仮想中心線であり、Ｑは、股下部材３０を縦方向Ｌに二等分する縦方向仮想中心線である。
おむつ１は、縦方向Ｌに連なる前胴回り域２と、後胴回り域３と、前後胴回り域２，３の間に位置する股下域４とを有している。前胴回り域２は着用者の前胴回り部を被覆し、後胴回り域３は着用者の後胴回り部を被覆し、股下域４は着用者の股下部を被覆するものである。
【００１９】
前後胴回り域２，３は、前後パネル１１，１２によって形成され、股下域４は、股下部材３０によって形成されている。
図示するように、前パネル１１、後パネル１２、および股下部材３０は、横方向仮想中心線Ｐに関してそれぞれ対称である。
【００２０】
前後パネル１１，１２は、肌対向面側の胴回り内面シート２０と、非肌対向面側の胴回り外面シート２１と、これら胴回り内外面シート２０，２１にサンドウィッチされている胴回り弾性部材２２とを含んでいる。胴回り内外面シート２０，２１は、通気性をそれぞれ有し、不図示のホットメルト接着剤を介して互いに接合してある。胴回り弾性部材２２は、胴回り内外面シート２０，２１の少なくとも一方にホットメルト接着剤（図示せず）を介して伸長状態で接合してある。胴回り弾性部材２２は、図１に示す状態では、幅方向Ｘに収縮した状態にあり、胴回り弾性部材２２の収縮力によって胴回り内外面シート２０，２１にギャザー１５が形成されている。
【００２１】
股下部材３０は、図２に示すように、肌対向面側に位置する股下内面シート（内面シート）３４と、非肌対向面側に位置する股下外面シート（外面シート）３５とを備えている。股下内面シート３４には、不透液性かつ透湿性のプラスチックフィルムを用いることができ、股下外面シート３５には、不透液性の繊維不織布を用いることができる。股下内面シート３４と股下外面シート３５とは、同一の形状であって、幅方向Ｘ及び前後方向Ｚの長さ寸法が同一である。股下内外面シート３４，３５は、横方向Ｗに延びる股下両端縁（両端縁）３１，３２と、縦方向Ｌに延びる股下両側縁（両側縁）３３とを有している。また、股下部材３０は、股下両側縁３３に沿って延びる一対のサイドフラップ３８と、股下両端縁３１，３２に沿って延びる一対の前後エンドフラップ３６とを有している。
【００２２】
股下内外面シート３４，３５は、股下両側縁３３に沿って縦方向Ｌに延びる折曲線３９を有し、この折曲線３９によって横方向Ｗにおいて矩形状の中央領域３７と、縦方向Ｌに延びる一対のサイドフラップ３８とに画成してあり、サイドフラップ３８を肌対向面側に折り返してある。
【００２３】
股下内面シート３４の肌対向面の側には、図示しないホットメルト接着剤等の接合手段によって吸液構造体４０を接合してある。吸液構造体４０は、吸液性の芯材と、芯材を覆う透液性の被覆シートとを有している。芯材としては、フラッフパルプや高吸収性ポリマー粒子等を用いることができる。吸液構造体４０は、横方向Ｗに延びる吸液両端縁４１，４２と、縦方向Ｌに延びる吸液両側縁４３とを有している。吸液構造体４０は、その吸液両端縁４１，４２が股下両端縁３１，３２よりも縦方向Ｌの内側に位置し、吸液両側縁４３が折曲線３９よりも横方向Ｗの内側に位置するように配置してある。
【００２４】
図２においては、右方のサイドフラップ３８の股下外面シート３５のみを除いて脚回り弾性部材（弾性部材）５０，６０を露出している一方、左方のサイドフラップ３８の股下外面シート３５を除いておらず、左方の脚回り弾性部材５０，６０を露出していないが、股下内外面シート３４，３５の間には、横方向仮想中心線Ｐを対象軸とする一対の第１脚回り弾性部材（弾性部材）５０及び第２脚回り弾性部材（第２弾性部材）６０を設けてある。
これらの脚回り弾性部材５０，６０としては、ストランド状またはストリング状の弾性糸を用いることができる。脚回り弾性部材５０，６０は、図示しないホットメルト接着剤等によって股下内外面シート３４，３５の少なくともいずれか一方に接合してある。このおむつ１では、股下部材３０の一方の股下側縁３３に第１脚回り弾性部材５０を４本設けてあり、第２脚回り弾性部材６０を３本設けてある。
脚回り弾性部材５０，６０を複数本設ければ、股下部材３０を着用者の肌に押し当てる部位を増加することができるため、フィット性を向上することができる。
【００２５】
第１脚回り弾性部材５０は、伸展おむつ１ａのサイドフラップ３８において、縦方向仮想中心線Ｑ上で互いに最も近接し、かつ縦方向Ｌにおいて、縦方向仮想中心線Ｑから離間するに従って互いに徐々に離間するように湾曲した弧状に設けてある。
縦方向仮想中心線Ｑは、着用状態において、股下部材３０の最下部に位置することが好ましい。このように配置すれば、第１脚回り弾性部材５０は、上下方向Ｙ（図１参照）の最下部で互いに最も近接し、かつ上方に行くに従って互いに徐々に離間する。よって、鼠蹊部において脚のつけねに近接する側に第１脚回り弾性部材５０が位置する一方、脚回り方向に沿って鼠蹊部から脚の外側に行くに従って脚のつけねに離間する側に第１脚回り弾性部材５０が位置するため、脚の内側でフィット性に優れて尿等の排泄物が漏れるのを防止するとともに、脚の外側で圧迫することを防止することができる。
第１脚回り弾性部材５０は、それが長さ方向に延びる接線Ｍと股下側縁３３との交差角度αが約１０〜９０度の範囲で傾斜することが好ましく、より好ましくは約１５〜４５度の範囲で傾斜することが好ましい。
【００２６】
第１脚回り弾性部材５０は、図２において破線で示すように、サイドフラップ３８の折曲線３９から中央領域３７の股下両端縁の近傍３１，３２までさらに延びている。
中央領域３７における一対の第１脚回り弾性部材５０は、縦方向Ｌにおいて、縦方向仮想中心線Ｑに近接する側が互いに最も離間する一方、縦方向仮想中心線Ｑから離間するに従って徐々に近接するように配置してある。
【００２７】
第１脚回り弾性部材５０は、例えば股下両端縁３１，３２の一端縁３１の近傍を始点とし、中央領域３７において図２中、下方から上方に向けて延び、折曲線３９を横切って中央領域３７からサイドフラップ３８まで延び、さらにサイドフラップ３８において図２中、下方から上方に向けて延び、再び折曲線３９を横切ってサイドフラップ３８から中央領域３７に延び、中央領域３７において図２中、下方から上方に向けて延び、股下両端縁３１，３２の別の一端縁３２の近傍を終点とする一連のものであって、股下両側縁３３に沿ってほぼ縦方向Ｌに延びているものである。換言すれば、第１脚回り弾性部材５０は、一端縁３１の近傍である一端縁３１の側から、別のもう一端縁３２の近傍である一端縁３２の側まで延びる一連のものである。
【００２８】
各第２脚回り弾性部材６０は、伸展おむつ１ａにおいて、縦方向Ｌに延びるように直状に形成してある。また、一対の第２脚回り弾性部材６０は、互いに平行である。これらの第２脚回り弾性部材６０は、サイドフラップ３８において、横方向仮想中心線Ｐと第１脚回り弾性部材５０との間に配置してある。換言すれば、折曲線３９と第２脚回り弾性部材６０との離間寸法は、折曲線３９と第１脚回り弾性部材５０との離間寸法よりも大きい。
【００２９】
図３は、股下内外面シート３４，３５に折曲線３９を設ける前において、股下内外面シート３４，３５の間に弾性部材５０，６０を取り付けたシート積層体６９を示すものであるが、説明の便宜のため、シート積層体６９から股下内面シート３４を取り除いてある。この状態では、横方向Ｗにおいて、横方向仮想中心線Ｐに対して第２脚回り弾性部材６０が第１脚回り弾性部材５０の外側に設けてある。
【００３０】
一対の第１脚回り弾性部材５０は、縦方向Ｌにおいて、縦方向仮想中心線Ｑ上で互いに最も離間し、この縦方向仮想中心線Ｑ上から縦方向Ｌに行くにしたがって徐々に互いに近接し、股下両端縁３１，３２の近傍では、横方向仮想中心線Ｐにほぼ平行となるように配置してある。この第１脚回り弾性部材５０は、折曲線３９を横切る湾曲形状を呈し、折曲線３９の外側に位置する中央部分５１と、折曲線３９の内側に位置する先端部分５２とを有している。
第１脚回り弾性部材５０は、股下両端縁３１，３２の近傍に、収縮力が作用しないように非伸長状態で股下内外面シート３４，３５に取り付ける非伸長部５３を設けてある一方、股下両端縁３１，３２の近傍を除いた部位は、収縮力が作用するように伸長状態で股下外面シート３５に取り付けてある。
第１脚回り弾性部材５０の収縮力が作用する部位は、例えば、非伸長状態から２倍に伸ばした状態で股下内外面シート３４，３５に取り付けてある。
非伸長部５３は、その縦方向Ｙの長さ寸法が２０ｍｍ以上であることが好ましく、５０ｍｍ以上であればより好ましい。また、非伸長部５３は、中央領域３７にのみ設けることが好ましい。
【００３１】
第２脚回り弾性部材６０は、その先端に、収縮力が作用しないように非伸長状態で股下内外面シート３４，３５に取り付ける非伸長部６２を設けてある一方、その先端を除いた部位は、収縮力が作用するように伸長状態で股下外面シート３５に取り付けてある。
【００３２】
股下内外面シート３４，３５の間には、ホットメルト接着剤を塗布しない非塗布域６５と、ホットメルト接着剤の塗布量を低減した低密度塗布域６６と、塗布量を増加した高密度塗布域６７とを設けてある。
非塗布域６５は、第２脚回り弾性部材６０の先端を配置した部位を含み、第１脚回り弾性部材５０を配置した部位を含まず、且つ前後方向Ｚに延びるように直状に、股下両側縁３３に設けてある。
低密度塗布域６６は、非塗布域６５及び以下に説明する高密度塗布域６７を除いた股下内外面シート３４，３５の全面に設けてある。
高密度塗布域６７は、股下両側縁３３において、折曲線３９と非塗布域６５との間に設けてあり、一端縁３１に設けた一対の前端塗布域６７ａと、別の一端縁３２に設けた一対の後端塗布域６７ｂと、縦方向Ｌにおける股下前端域６７ａ及び股下後端域６７ｂの間に設けた一対の中央塗布域６７ｃとを含んでいる。
これらの塗布域６６，６７に塗布したホットメルト接着剤によって、弾性部材５０，６０を所定の形状で股下内面シート３４と股下外面シート３５との間に介在させたシート積層体６９を形成した後、股下内面シート３４の肌対向面の側に吸液構造体４０を取り付け、そのシート積層体６９を折曲線３９に沿って折り曲げて股下部材３０を形成してある。
【００３３】
図４は、股下部材３０と胴回り部材１０との取り付けを示す斜視図である。
股下部材３０と前パネル１１とは、股下部材３０または前パネル１１の少なくとも一方に塗布したホットメルト接着剤によって取り付けてある。この例では、股下部材３０にのみホットメルト接着剤を塗布するもので説明するが、前パネル１１にのみ接着剤を塗布してもよいし、前パネル１１及びシート積層体６９の双方にそれぞれ接着剤を塗布してもよい。
【００３４】
股下部材３０にホットメルト接着剤を塗布して形成する塗布域７０は、中央領域３７において横方向Ｗに延びる第１領域７１と、サイドフラップ３８において横方向Ｗにおける第１領域７１の両側縁７１ａから横方向仮想中心線Ｐに対して離隔するように直状に延びる一対の第２領域７２と、サイドフラップ３８において縦方向Ｌにおける第２領域７２の端部７２ａから縦方向仮想中心線Ｑに対して接近するように延びる一対の第３領域７３とを備えている。
第３領域７３は、一端縁３１に近接する幅広部７３ａと、一端縁３１に離隔する幅狭部７３ｂとを有している。幅広部７３ａ及び幅狭部７３ｂは、横方向仮想中心線Ｐに接近する内側縁７３ｃは直状である一方、横方向仮想中心線Ｐに離隔する外側においては、幅広部７３ａの外側縁７３ｄに対して幅狭部７３ｂの外側縁７３ｅが内側に位置し、これによって、第３領域７３は、縦方向仮想中心線Ｑに近接する側に向けて細くなるよう形成してある。
【００３５】
幅方向Ｘに延びる第１領域７１及び第２領域７２と、第２領域７２の端部から縦方向仮想中心線Ｑに対して接近するように延びる第３領域７３とによって塗布域７０を形成してあるため、股下部材３０と胴回り部材１０との間に縦方向Ｌに延びるポケット７５を形成することができる。よって、着用者が横臥した状態では、このポケット７５に排泄物を収容することができるため、収容する排泄物の量を増加させることができる。このおむつ１は、胴回り部材１０の非肌対向面側に股下部材３０の肌対向面側を取り付けてあるため、一層、収容する排泄物の量を増加させることができる。
【００３６】
第１脚回り弾性部材５０の中央部分５１は、横方向仮想中心線Ｐに対して離隔する湾曲状に形成してあり、且つ第３領域７３の外側に位置する。換言すれば、サイドフラップ３８の縦方向両端部とエンドフラップ３６の横方向両端部との交際域４７には、第１脚回り弾性部材５０が存在しない非存在域４７ａが形成されているため、非存在域４７にはギャザーが形成されず、且つ非存在域４７は平坦である。もちろん非存在域４７には、第２脚回り弾性部材６０も存在していない。よって、サイドフラップ３８を前パネル１１に取り付ける際に脚回り弾性部材５０，６０の存在が邪魔になることがなく、股下部材３０を前パネル１１に確実に取り付けることができる。
しかも、股下部材３０は、股下内外面シート３４，３５の両端縁３１，３２の一端縁３１の側から別のもう一端縁３２の側に亘って股下両側縁３３に沿ってほぼ縦方向Ｌに延びる第１脚回り弾性部材５０を備えるため、股下部材３０と胴回り部材１０とが重なる部位においても、股下両側縁３３を収縮することができる。よって、当該部位における股下両側縁３３から排泄物が漏れることも防止することができる。
【００３７】
加えて、股下内外面シート３４，３５の厚さ方向において、サイドフラップ３８の非存在域４７ａに重なる中央領域３７に、第１脚回り弾性部材５０の先端部分５２が延びているため、第１脚回り弾性部材５０の収縮力を間接的に前パネル１１に伝達することができ、股下両側縁３３から排泄物が漏れることを確実に防止することができる。
加えて、サイドフラップ３８の間から露出する中央領域３７の第１領域７１を前パネル１１に取り付けてあるため、一層確実に前パネル１１を股下部材３０に取り付けることができる。
【００３８】
また、股下内外面シート３４，３５は、同一の形状であって、縦方向Ｌ及び横方向Ｗの長さ寸法が同一であるため、いずれか一方のシート３４，３５を折り返すことによって発生するシート厚さ方向の凹凸をなくして平坦にすることができる。よって、一層、股下部材３０に前パネル１１を確実に取り付けることができる。
【００３９】
さらに、第２脚回り弾性部材６０の先端は、第３領域７３の幅狭部７３ｂに位置するため、第２脚回り弾性部材６０の収縮力を胴回り部材１０に直接、伝達することができる。よって、着用状態では、第２脚回り弾性部材６０は、その収縮力によってサイドフラップ３８を中央領域３７に対して上方に向けて起立させ、このサイドフラップ３８の側縁を着用者の鼠蹊部に押し当て、排泄物が漏れることを防止することができる。
【００４０】
さらに、弾性部材５０，６０は、図２に示すように、横方向仮想中心線Ｐに対して吸液構造体４０よりも幅方向Ｘの外側に位置するため、弾性部材５０，６０によって弾性化された股下両側縁３３は、着用者の脚回りに密着して排泄物が漏れるのを防止することができる。
しかも、第１脚回り弾性部材５０及び第２脚回り弾性部材６０によって股下両側縁３３に弾性化された部位を二重に設けるため、排泄物が漏れるのを確実に防止することができる。
加えて、吸液構造体４０は、横方向仮想中心線Ｐに対して、折曲線３９の幅方向Ｘにおける内側に配置してあるため、これがクロッチ域４で嵩張ることがない。
【００４１】
なお、ホットメルト接着剤の塗布域７０ａは、前パネル１１の塗布域７０に対し、幅広部７３ａのみを設けて幅狭部７３ｂを設けていない点のみが異なる。また、塗布域７０ａを、塗布域７０と同一の形状にしてもよい。
【００４２】
また、上述した実施の形態において、第１脚回り弾性部材５０は、一端縁３１の側から別のもう一端縁３２の側に亘る一連のもので説明した。しかし、この発明において、第１弾性部材５０は、胴回り部材１０と股下部材３０とが重なる部位において、股下部材３０の股下側縁３３から排泄物が漏れることを防止するものであればよいため、胴回り部材１０と股下部材３０とが重なる部位まで延びていればよい。換言すれば、第１脚回り弾性部材５０は、胴回り部材１０と股下部材３０とが重なる部位まで延びていれば、上述したように、端縁３１，３２の縁まで完全に延びていなくてもよく、図示省略するが、両端縁３１，３２の縁まで完全に延びていてもよい。
さらに、第１脚回り弾性部材５０は、一連のものである必要はなく、交差域４７において存在しなければよい。換言すれば、複数の弾性部材を脚回りに沿って配置することによって脚回り弾性部材５０を構成してもよい。
【００４３】
なお、おむつ１は、この発明の範囲で適宜変更することができ、上述した実施の形態に限定されることはない。例えば、おむつに限られず、排泄トレーニングパンツ等に適用することができる。
なお、おむつ１０を構成する部材には、特に明記されていない限りにおいて、本明細書に記載されている材料のほかに、この種の分野において通常用いられている公知の材料を制限なく用いることができる。また、本明細書において使用されている「第１」、「第２」、及び「第３」の用語は、同様の要素、位置等を単に区別するために用いてある。
【符号の説明】
【００４４】
１    おむつ（使い捨てのパンツ型の着用物品）
１０  胴回り部材
３０  股下部材
３１  一端縁
３２  別のもう一端縁
３４  股下内面シート（内面シート）
３５  股下外面シート（外面シート）
３６  エンドフラップ
３７  中央領域
３８  サイドフラップ
３９  折曲線
４７  交差域
４７ａ  非存在域
５０  第１脚回り弾性部材（弾性部材）
５１  中央部分
５２  先端部分
５３  非伸長部
６０  第２脚回り弾性部材（第２弾性部材）
Ｌ    縦方向
Ｐ    横方向仮想中心線
Ｑ    縦方向仮想中心線
Ｗ    横方向
【図１】
0005822475.tif 000002
【図２】
0005822475.tif 000003
【図３】
0005822475.tif 000004
【図４】
0005822475.tif 000005